(57)【要約】【課題】ユーザの使用感を損なわず、ケーブルの変形によっても受信環境が変動しにくい外部アンテナを内蔵したＵＳＢケーブルを提供する。【解決手段】移動通信端末用のＵＳＢケーブルであって、ケーブルと、ケーブルの両端に、接合部を介して接合されたプラグと、ケーブルが貫通するハウジングと、ハウジング内を貫通するケーブル内の導体被覆の外部かつハウジング内に形成されたアンテナ回路と、その一端がアンテナ回路と接続され、他端が端末側のプラグに接続され、ケーブル内に挿通され、アンテナ回路が受信した信号を移動通信端末に供給する同軸ケーブルとを含む。【選択図】図３
2014183512.tif 000002
【特許請求の範囲】
【請求項１】
移動通信端末用のＵＳＢケーブルであって、
ケーブルと、
前記ケーブルの両端に、接合部を介して接合されたプラグと、
前記ケーブルが貫通するハウジングと、
前記ハウジング内を貫通する前記ケーブル内の導体被覆の外部かつ前記ハウジング内に形成されたアンテナ回路と、
その一端が前記アンテナ回路と接続され、他端が端末側のプラグに接続され、前記ケーブル内に挿通され、前記アンテナ回路が受信した信号を前記移動通信端末に供給する同軸ケーブルとを含む
ＵＳＢケーブル。
【請求項２】
請求項１に記載のＵＳＢケーブルであって、
前記ハウジングが、前記接合部を覆うように形成されている
ＵＳＢケーブル。
【請求項３】
請求項１または２に記載のＵＳＢケーブルであって、
前記アンテナ回路が、ＬＮＡを含む
ＵＳＢケーブル。
【請求項４】
請求項１から３の何れかに記載のＵＳＢケーブルであって、
前記アンテナ回路が、板状逆Ｆ型アンテナとして形成されている
ＵＳＢケーブル。
【請求項５】
請求項１から３の何れかに記載のＵＳＢケーブルであって、
前記アンテナ回路が、線状逆Ｌ型アンテナとして形成されている
ＵＳＢケーブル。
【請求項６】
請求項１から５の何れかに記載のＵＳＢケーブルであって、
前記アンテナ回路を複数備え、
前記各アンテナ回路と接続されたスイッチを含む
ＵＳＢケーブル。
【発明の詳細な説明】
【技術分野】
【０００１】
本発明は、移動通信端末（例えば携帯端末、スマートフォン、タブレット端末など）に用いられるＵＳＢケーブルに関する。
【背景技術】
【０００２】
近年、携帯端末において複数のアンテナで送信、受信を行い、通信容量を高めるＭＩＭＯ（Ｍｕｌｔｉｐｌｅ−Ｉｎｐｕｔ  ａｎｄ  Ｍｕｌｔｉｐｌｅ−Ｏｕｔｐｕｔ）通信技術が適用されている。ＭＩＭＯ通信の通信容量を増やすためには単純にアンテナを増やすことが考えられる。ＭＩＭＯ通信の通信容量を増やすために複数のアンテナを携帯端末内に配置する場合、携帯端末のサイズが問題となる。携帯端末の利便性を考慮すれば、携帯端末のサイズは従来よりも大きくすることはできず、そのサイズは制限される。サイズが制限された端末の筐体内に複数のアンテナを収容すれば、アンテナ間の距離が近づくことにより、アンテナ相関が高くなり通信容量の低下が懸念される。アンテナ相関を十分低くするためには、使用する周波数の波長λに対してアンテナ間の距離をλ／２以上離隔することが求められ、例えば、２ＧＨｚで使用する場合にはアンテナ間を７．５ｃｍ以上離すことが望ましい。すると携帯端末に搭載可能なアンテナ本数は２本程度、多くても４本となる。端末内にそれ以上アンテナを増やそうとしてもアンテナ相関を下げることが難しく通信容量の増大は望めない。
【０００３】
また、ユーザによる端末の把持状態によってはアンテナ付近に誘電体が配置されることとなり、アンテナの負荷インピーダンス変動による不整合が発生し、通信容量が低下することも考えられる。これらの問題に対し、特許文献１ではアンテナを端末内部に収容するのではなく、クレードルに外部アンテナを配置して通信品質を改善する手法が開示されている。
【先行技術文献】
【特許文献】
【０００４】
【特許文献１】特開２０１２−９４９９５号公報
【発明の概要】
【発明が解決しようとする課題】
【０００５】
特許文献１に開示されているように、外部アンテナをクレードルに配置し、携帯端末をクレードルに置きながら使用すれば、前述のアンテナ相関の問題は回避可能である。しかしながら、クレードルはどちらかというと付属品という位置づけであって、携帯端末の充電や通信に必須の機器ではない。クレードルがなくても、ＵＳＢケーブルとＡＣアダプタがあれば充電は可能であるし、ＵＳＢケーブルのみで携帯端末−ＰＣ間においてデータのやり取りを行うことは可能である。従って、クレードルは全く使用されない場合もある。このため、特許文献１に開示されているように、クレードルに外部アンテナを付属させても、クレードルを普段使用しないユーザはその恩恵が受けられないことが問題であった。
【０００６】
そこで、携帯端末の充電や通信に必須のＵＳＢケーブルに外部アンテナを収容することを考える。ＵＳＢケーブルに外部アンテナを収容できれば、アンテナ相関の問題は回避可能であるし、ＵＳＢケーブルはクレードルよりも利用頻度が高いため、より多くの機会で外部アンテナを駆動させることができ、ユーザにとっての利便性が高い。例えばユーザは室内においては、ＡＣアダプタを介しての充電時、ＰＣとの通信時、ＰＣを介しての充電時、室外においてはモバイルブースター（携帯型充電機器）からの充電時において、外部アンテナを活用することができる。
【０００７】
ＵＳＢケーブル内に外部アンテナを収容しようとする場合、例えば信号線、電源線、および直線状に形成された可撓性をもつアンテナをケーブル内に一束にして収容することが考えられる。このように可撓性を有する外部アンテナをケーブル内の配線と一束にして収容しておけば、ユーザは、自由にケーブルの曲げ伸ばしをしながらＵＳＢケーブルを使用できるため、ユーザの使用感は従来のＵＳＢケーブルにおける使用感とさほど変わらない。しかしながら、ケーブルの変形に伴ってアンテナの形状が変形する場合、アンテナの形状変化に伴ってアンテナの受信環境が変動し、安定したアンテナ特性が得られない場合がある。また、ケーブル外装の内腔には金属被膜などのシールドが形成されている場合が多く、この場合は単純にケーブル内にアンテナを収容しただけでは、外部アンテナとして機能しない。そこで、本発明では、ユーザの使用感を損なわず、ケーブルの変形によっても受信環境が変動しにくい外部アンテナを内蔵したＵＳＢケーブルを提供することを目的とする。
【課題を解決するための手段】
【０００８】
本発明のＵＳＢケーブルは、移動通信端末用のＵＳＢケーブルであって、ケーブルと、ケーブルの両端に、接合部を介して接合されたプラグと、ケーブルが貫通するハウジングと、ハウジング内を貫通するケーブル内の導体被覆の外部かつハウジング内に形成されたアンテナ回路と、その一端がアンテナ回路と接続され、他端が端末側のプラグに接続され、ケーブル内に挿通され、アンテナ回路が受信した信号を移動通信端末に供給する同軸ケーブルとを含む。
【発明の効果】
【０００９】
本発明のＵＳＢケーブルによれば、ユーザの使用感を損なわず、ケーブルの変形によっても受信環境が変動しにくい外部アンテナを内蔵することができる。
【図面の簡単な説明】
【００１０】
【図１】従来のＵＳＢケーブルの各部名称を説明する図。
【図２】従来のＵＳＢケーブルの端末側ハウジング内部を示す図。
【図３】実施例１のＵＳＢケーブルの端末側ハウジング内部を示す図。
【図４】アンテナ回路を板状逆Ｆ型アンテナで構成した場合の構成例その１を示す図。
【図５】アンテナ回路を板状逆Ｆ型アンテナで構成した場合の構成例その２を示す図。
【図６】従来のＵＳＢケーブルのＡＣ側および端末側ハウジング内部を示す図。
【図７】実施例２のＵＳＢケーブルのＡＣ側および端末側ハウジング内部を示す図。
【図８】実施例３のＵＳＢケーブルのアンテナ回路用ハウジング内部を示す図。
【図９】実施例４のＵＳＢケーブルの構成を示す図。
【図１０】アンテナ回路をマルチアンテナとして構成した場合の回路図。
【図１１】本発明のＵＳＢケーブルを用いてＭＩＭＯ通信を実行する場合に端末側に必要なスイッチについて示す図。
【発明を実施するための形態】
【００１１】
以下、本発明の実施の形態について、詳細に説明する。なお、同じ機能を有する構成部には同じ番号を付し、重複説明を省略する。
【実施例１】
【００１２】
以下、図１、図２、図３を参照して従来のＵＳＢケーブルおよび実施例１のＵＳＢケーブルについて説明する。図１は従来のＵＳＢケーブル９０の各部名称を説明する図である。図２は従来のＵＳＢケーブル９０の端末側ハウジング２の内部を示す図である。図３は本実施例のＵＳＢケーブル１０の端末側ハウジング２の内部を示す図である。図１に示すように、従来のＵＳＢケーブル９０は、ケーブル１と、ケーブル１の一端に端末側ハウジング２を介して接合された端末側プラグ３と、他端にＡＣ側ハウジング７を介して接合されたＡＣ側プラグ８とを備える。ケーブル１の外装は、例えば耐燃性のポリエチレン被覆などで構成され、その内腔は金属シールドされている。図２に示すように、ケーブル１内には、ＰＦＡなどの絶縁体被覆９２−１で覆われ、更にその上に銅ＰＥＴなどの導体被覆９１−１をコートされた電源線４−１、同様に絶縁体被覆９２−２、導体被覆９１−２で覆われた信号線４−２が収容されている。導体被覆９１−１、９１−２は、電源線から信号線へのノイズを遮蔽するためにコートされる。なお、図２の構成に限らず、信号線４−１、電源線４−２は、一纏めにされて絶縁体被覆、導体被覆で覆われていても良い。図１矢印に示すように端末側プラグ３は、携帯端末１００のレセプタクル（ポート）に接続される。携帯端末がｍｉｃｒｏＵＳＢ規格である場合、端末側プラグ３は、ｍｉｃｒｏＵＳＢ端子となり、この場合はＵＳＢケーブル９０は、ＵＳＢ−ｍｉｃｒｏＵＳＢ変換ケーブルとして機能する。ＡＣ側プラグ８はＡＣアダプタ２００のレセプタクルに接続される。または、ＡＣ側プラグ８は図示しないＰＣのＵＳＢポートに接続されてもよい。図２に示すように、従来のＵＳＢケーブル９０には、ケーブル１の一端を覆うように、筐体状の端末側ハウジング２が形成されている。言い換えれば、ケーブル１は端末側ハウジング２を貫通して延伸され、端末側ハウジング２内部で端末側プラグ３と接合されている。端末側ハウジング２の内部には、ケーブル１と端末側プラグ３とを接合させるための端末側接合部２１が収容されている。例えば、電源線４−１、信号線４−２と端末側プラグ３がはんだ付けされ、はんだ付け箇所の物理的強度を増すために、樹脂モールド、またはシリコンなどで端末側接合部２１が形成される。図３に示すように、本実施例のＵＳＢケーブル１０は、従来のＵＳＢケーブル９０の構成に加え、端末側ハウジング２内部に、アンテナ回路５を備える。アンテナ回路５を導体内に配置してしまうと電波が受信できなくなるため、アンテナ回路５は電源線４−１、信号線４−２の導体被覆９１−１、９１−２、およびケーブル１外装の内腔に形成された金属シールドの外部に形成されている必要がある。なお、前述したように、信号線４−１、電源線４−２が一纏めにされて絶縁体被覆、導体被覆で覆われている場合には、アンテナ回路５は、信号線４−１、電源線４−２が収容される導体被覆の外部であって、かつケーブル１外装内腔の金属シールドの外部に形成されている必要がある。同軸ケーブル６は、その一端がアンテナ回路５と接続され、他端が端末側プラグ３と接続されている。アンテナ回路５において受信された信号は、同軸ケーブル６を通じて携帯端末１００に入力される。受信信号の周波数がある程度高い周波数である場合、例えば受信信号の周波数が３ＧＨｚ以上ではその波長が１０ｃｍ以下となり、その４分の１波長は２．５ｃｍ以下となる。例えばアンテナをメアンダラインアンテナとしたり、後述する板状逆Ｆ型アンテナ、線状逆Ｌ型アンテナ、誘導体チップアンテナなどとすれば、アンテナ回路５は小さなサイズで実現可能である。このため、アンテナ回路５は従来のＵＳＢケーブル９０がもともと備える端末側ハウジング２内部に収納可能な大きさで構成することができる。アンテナ回路５を受信専用のアンテナとすれば、下りリンクでダイバーシチ効果、あるいは干渉波抑圧効果が得られる。後述する放射素子５１とＬＮＡ５３の間にデュプレクサ（図示略）を設け、送受を切り分けるようにして送信も可能な構成としてもよい。
【００１３】
次に、図４、図５を参照してアンテナ回路５の構成例を説明する。図４、図５はアンテナ回路５を板状逆Ｆ型アンテナで構成した場合の構成例を示す図である。図４Ａは、図４Ｂにおける４Ａ断面からみたアンテナ回路５の断面図である。図５Ａは、図５Ｂにおける５Ａ断面からみたアンテナ回路５の断面図である。図４Ｂ、図５Ｂは、アンテナ回路５の平面図である。図４、５に示すように、アンテナ回路５は地板５５と、地板５５と向き合わされて配置された長方形板状の放射素子５１と、放射素子５１と地板５５とを接続する短絡板５２と、地板５５上に形成されたＬＮＡ５３と、ＬＮＡ５３と電源線４−１を接続して、ＬＮＡ５３に電力を供給するＬＮＡ用バイアス線５４と、放射素子５１と接続されＬＮＡ５３を介して端末側プラグ３に延伸される同軸給電線６１と、地板５５上に形成された回路基板５６とを備える。同軸給電線６１は、地板５５を貫通して地板５５の下部から延伸されて、端末側プラグ３に至る。地板５５の下部から延伸された同軸給電線６１は絶縁体被覆６２に覆われ、同軸ケーブル６を形成している。放射素子５１で受信され、ＬＮＡ５３で増幅された信号は同軸ケーブル６を通じて携帯端末内の無線集積回路（ＲＦ−ＩＣ）に入力され、ベースバンド処理用集積回路（ＢＢ−ＩＣ）内で携帯端末に内蔵された他のアンテナと同様に受信信号処理がなされる。図４、図５に示すアンテナは板状逆Ｆ型アンテナと呼ばれ、放射素子５１の長辺Ｌと短辺Ｗの長さの合計が、受信電波の波長λの１／４（＝λ／４）、またはその奇数倍（＝（２ｋ−１）λ／４、ｋは任意の正の整数）となればよい。アンテナ回路５はこれ以外にも、例えば線状逆Ｌ型アンテナ、誘導体チップアンテナなどで構成してもよい。アンテナ回路５は携帯端末の外部に設けられるために、携帯端末内蔵の他アンテナよりＲＦ−ＩＣとアンテナ間の経路が長くなる。また、ＵＳＢケーブル１０は着脱式のためＲＦ経路にコネクタ接点が発生し損失要因となる。そこで、上述したようにアンテナ回路５にＬＮＡ５３を設け、必要に応じてＬＮＡ５３が受信信号を増幅することにより、アンテナ回路５における受信レベルを他の端末内蔵アンテナと同程度とすることができ、ＭＩＭＯ通信に好適な条件となる。ＬＮＡ５３の電源は前述したＬＮＡ用バイアス線５４から供給することが可能である。なお、本実施例のＵＳＢケーブル１０は、充電時やＰＣとの通信時に限られず、例えばバッテリーから携帯端末に電力が供給される状況下においても外部アンテナとして使用可能である。この場合でも携帯端末側からＬＮＡ５３などに電力が分配される必要があるため、ＬＮＡ５３の消費電力は少ないほうがより好適である。なお本実施例のように、アンテナ回路５や同軸ケーブル６が従来のＵＳＢケーブル９０に付加されても、従来のＵＳＢケーブル９０が有するデータ通信機能、充電機能は損なわれない。
【００１４】
このように、本実施例のＵＳＢケーブル１０によれば端末側ハウジング２内にアンテナ回路５を収容したためユーザの使用感を損なわず、ケーブル１の変形によっても外部アンテナの受信環境が変動しにくい。また、携帯端末の外部にアンテナ回路５を設けることにより、アンテナ相関を低くすることができ、ＭＩＭＯチャネルの容量低下を防ぐことができ、ＭＩＭＯに必要なアンテナ本数を増やし受信ダイバーシチ効果、あるいは干渉波抑圧によるＳＩＮＲ（Ｓｉｇｎａｌ−ｔｏ−Ｉｎｔｅｒｆｅｒｅｎｃｅ  ｐｌｕｓ  Ｎｏｉｓｅ  ｐｏｗｅｒ  Ｒａｔｉｏ）の改善により受信感度を向上することができる。
【実施例２】
【００１５】
次に、図６、図７を参照して従来のＵＳＢケーブルおよび実施例２のＵＳＢケーブルについて説明する。図６は従来のＵＳＢケーブル９０のＡＣ側および端末側ハウジングの内部を示す図である。図７は本実施例のＵＳＢケーブル２０のＡＣ側および端末側ハウジングの内部を示す図である。図６に示す通り、ＡＣ側ハウジング７の内部は、前述した端末側ハウジング２と同様の構造になっている。図７に示すように、本実施例のＵＳＢケーブル２０は、従来のＵＳＢケーブル９０の構成に加え、ＡＣ側ハウジング７内部にアンテナ回路５を備える。アンテナ回路５を導体内に配置してしまうと電波が受信できなくなるため、アンテナ回路５は電源線４−１、信号線４−２の導体被覆９１−１、９１−２、およびケーブル１外装の内腔に形成された金属シールドの外部に形成されている必要がある。同軸ケーブル６は、その一端がアンテナ回路５と接続され、他端はケーブル１内を通って延伸され端末側プラグ３と接続される。前述同様、アンテナ回路５において受信された信号は、同軸ケーブル６を通じて携帯端末に供給される。アンテナ回路５は、実施例１と同様に、例えば板状逆Ｆ型アンテナ、線状逆Ｌ型アンテナとして構成することができる。本実施例においては、アンテナ回路５を携帯端末から離れたＡＣ側ハウジング７内部に収容したため、ケーブル１の長さ分受信信号を伝送するために発生するロスをＬＮＡ５３により補償して、携帯端末内部の他アンテナと同等の信号レベルまで増幅することが望ましい。
【００１６】
このように、本実施例のＵＳＢケーブル２０によれば実施例１のＵＳＢケーブル１０の効果に加え、ＡＣ側ハウジング７にアンテナ回路５を収容することで携帯端末に内蔵された他のアンテナとの距離を大きく取ることができるため、さらにアンテナ相関を低くすることができ、ユーザの把持によるアンテナ負荷インピーダンスの変動をさらに生じにくくすることができる。
【実施例３】
【００１７】
次に、図８を参照して実施例３のＵＳＢケーブルについて説明する。図８は本実施例のＵＳＢケーブル３０のアンテナ回路用ハウジング９の内部を示す図である。実施例１、２においては、従来のＵＳＢケーブル９０がもともと備えているハウジング内にアンテナ回路５を収容して、外見上従来のＵＳＢケーブル９とほとんど差がないように構成した。本実施例では、図８に示すように、アンテナ回路５を収容するためのハウジングであるアンテナ回路用ハウジング９を別途設ける。アンテナ回路用ハウジング９は硬い樹脂性などで形成し、折れ曲がらないことが望ましい。実施例１、２と同様に、アンテナ回路５は電源線４−１、信号線４−２の導体被覆９１−１、９１−２、およびケーブル１外装の内腔に形成された金属シールドの外部に形成されている必要がある。このように、アンテナ回路用ハウジング９を別途設けたとしても、ハウジングのサイズは小さくて済むため、ユーザの使用感は殆ど損なわれない。アンテナ回路５は、実施例１、２と同様に、例えば板状逆Ｆ型アンテナ、線状逆Ｌ型アンテナとして構成することができる。
【００１８】
このように、本実施例のＵＳＢケーブル３０によれば実施例１のＵＳＢケーブル１０の効果に加え、ＵＳＢケーブルに外部アンテナを複数設けた場合であっても、ユーザの使用感を損なわず、ケーブル１の変形によっても受信環境が変動しにくい外部アンテナを内蔵できる。
【実施例４】
【００１９】
次に、図９を参照して実施例４のＵＳＢケーブルについて説明する。図９は本実施例のＵＳＢケーブル４０の構成を示す図である。図９に示すように、本実施例のＵＳＢケーブル４０は、ケーブル１の中ほどに、互いに所定の距離離間されて形成されたアンテナ回路用ハウジング９−１、９−２、９−３を備える。アンテナ回路用ハウジング９−１、９−２、９−３にはそれぞれアンテナ回路５−１、５−２、５−３が内蔵され、これらは同軸ケーブル６によって端末側プラグ３と接続され、受信信号を携帯端末１００に供給する。また、端末側ハウジング２内には、ＳＰ３ＴのＳＷ２２が内蔵される。ＳＷ２２の共通端子２２４は、端末側プラグ３を介して携帯端末１００に接続される。ＳＷ２２の第１接点２２１、第２接点２２２、第３接点２２３はそれぞれアンテナ回路５−１、５−２、５−３に接続される。本実施例のＵＳＢケーブル４０のように複数箇所にアンテナを配置することで空間的なダイバーシチ効果が得られる。前述同様、アンテナ回路用ハウジング９−１、９−２、９−３は硬い樹脂性などで形成し、折れ曲がらないことが望ましい。
【００２０】
また、アンテナ回路５−１、５−２、５−３は結合しない程度に、アンテナのエレメント間の距離、互いに離間されて形成されていることが望ましい。また、ユーザビリティの観点からアンテナ回路用ハウジング９−１、９−２、９−３は、ケーブルを折り曲げる際に問題にならない程度、互いに離間されて形成されていることが望ましい。また、端末とケーブル内のアンテナ間の距離に応じてＬＮＡ５３の利得を変えることで、どのアンテナから受信しても同程度の信号電力となるようにすることが望ましい。ＬＮＡ５３の出力端から端末側プラグ３への伝送は同軸構造を有することが望ましい。アンテナ回路５−１、５−２、５−３で受信した信号は、全て使用して受信信号処理に使用してもよいし、ＳＷ２２の制御により、受信感度のよいアンテナを選択してもよい。以下にアンテナの選択手順の一例を示す。ＵＳＢケーブル４０が携帯端末１００に接続された場合、携帯端末１００がＯＮ状態で通信アプリ（バックグランドで動作しているものも含む）が動作している場合には、ＬＮＡ５３をＯＮとする。携帯端末、通信アプリの何れかがＯＦＦである場合にはＬＮＡ５３をＯＦＦとする。ＬＮＡ５３の電源供給線に電気的なスイッチ（図示略）を設けることでＬＮＡ５３のＯＮ／ＯＦＦ制御は可能である。なお、ＬＮＡ５３は消費電力が低いため携帯端末がＯＦＦ、あるいは通信アプリがＯＦＦの場合であってもＯＦＦにしない構成でもよい。端末がＯＮ状態で通信アプリが動作している場合には、まず第１接点２２１をＯＮとし、基地局からの基準シンボルを受信し、チャネル応答を算出する。一定時間経過後にスイッチを切り替え、第２接点２２２、第３接点２２３でも同様にチャネル応答を算出し、最もチャネル品質のよいアンテナを選択するようＳＷ２２を制御する。パケット通信ではデータの送信は断続的に行われるため、データを受信していないスケジュールのときにＳＰ３Ｔスイッチを切り替え、使用しているアンテナとは別のアンテナのチャネル応答状態を更新し最適なものを選択する。なお、図９の例ではアンテナ回路を計３つとし、ＳＷ２２はＳＰ３Ｔスイッチとしたが、これに限られずアンテナ回路を計ｎ個とし、ＳＷ２２をＳｐｎＴスイッチとし、任意の整数ｎにおいて本実施例のＵＳＢケーブル４０は実施可能である。図９では、ケーブル間のアンテナ回路用ハウジングにのみアンテナ回路を配置したが、これに加えて、端末側ハウジング２、ＡＣ側ハウジング７にアンテナ回路を配置しても良い。なお、本実施例のように複数個所にアンテナを配置する際には、アンテナ相関を下げるため、携帯端末の近くに高い周波数のアンテナを配置し、携帯端末から離れた場所に低い周波数のアンテナを置くことが望ましい。これは、十分にアンテナ相関を下げるために、受信波の１／２波長の距離、アンテナ間を互いに隔離する必要があるためである。
【００２１】
このように、本実施例のＵＳＢケーブル４０によれば実施例１のＵＳＢケーブル１０の効果に加え、選択ダイバーシチ効果を得ることができる。また、本実施例のＵＳＢケーブル４０の複数のアンテナ回路が受信する信号を合成する制御を行えば、さらに通信品質を向上させることができる。
【００２２】
［変形例１］
以下、図１０を参照して実施例１の変形例について説明する。図１０はアンテナ回路５をマルチバンドアンテナとして構成した場合の回路図である。上述したアンテナ回路５は、複数の周波数に対応できるように構成することも可能である。図１０の例では、３．５ＧＨｚと２．０ＧＨｚの二つの周波数帯でアンテナ回路５を構成している。
【００２３】
図１０に示すように、ＬＮＡ５３とアンテナ（第１アンテナ５１−１、第２アンテナ５１−２）の間にキャパシタ５７とインダクタ５８を装荷することで高い周波数（３．５ＧＨｚ）においてはキャパシタ５７は通過特性、インダクタ５８は遮断特性を有し、低い周波数（２．０ＧＨｚ）においてはインダクタ５８が通過特性、キャパシタ５７が遮断特性を有するように構成することができる。このため、図１０に示すアンテナ回路により、他周波のアンテナの影響を受けず、二つの周波数帯の信号を受信可能である。キャパシタ５７、インダクタ５８はハイパスフィルタ、ローパスフィルタで代用することができる。また、バンドパスフィルタを用いてダイプレクサのように構成することもできる。また、図１０の例では並列にアンテナを配置しているが、複数の周波数のアンテナを直列接続し、アンテナ間を所望周波数のうち高い周波数に対応する共振器を介して接続することで、共振器のあるところで高い周波数でのみ遮断特性を得ることで２周波帯対応アンテナを構成してもよい。
【００２４】
＜携帯端末におけるアンテナ選択＞
以下、図１１を参照して本発明のＵＳＢケーブルを使用する場合の携帯端末におけるアンテナ選択について説明する。図１１は本発明のＵＳＢケーブルを用いてＭＩＭＯ通信を実行する場合に端末側に必要なスイッチについて示す図である。図１１に示すように、複数のアンテナを有する携帯端末１００は、例えば第１〜第４アンテナ１０１〜１０４、ＲＦ−ＩＣ１１０、ＢＢ−ＩＣ１２０、スイッチ１３０などを含む。スイッチ１３０は、図１１の例では２Ｐ３Ｔスイッチである。ＵＳＢケーブルからの受信波専用の受信ポートをＲＦ−ＩＣに設けるなどして、ＲＦ−ＩＣのポート数が多くなるとＲＦ−ＩＣのサイズが大きくなり、携帯端末に収容することが困難になってくる。そのため、図１１のように、ＲＦ−ＩＣ１１０の直前に複数ＯＮ状態を保持可能なｍＰｎＴスイッチ（図１１の例では２Ｐ３Ｔスイッチ）を設ける。スイッチの選択方法は、基地局からの基準シンボルを受信し、チャネル応答を計算し、一定時間経過後にスイッチを切り替え、再度チャネル応答を計算し、もっともチャネル品質のよいものを選択するという方法が考えられる。例えば図１１の例では、はじめに＃１と＃３、＃２と＃４が接続された状態で一定時間チャネル応答を算出し、その後スイッチを切り替え、＃１と＃５、＃２と＃４の組み合わせで再度チャネル応答を算出し、次に、＃１と＃５、＃２と＃３の組み合わせでチャネル応答を算出し、最もチャネル品質のよい組み合わせを選択する。本発明のＵＳＢケーブル内のアンテナはアンテナ相関が低く、ユーザの把持状態によってアンテナ負荷変動が起こりにくいため、本発明のＵＳＢケーブル内のアンテナを優先的につなぐこととしてもよい。また、例えば高速移動中などでフェージングの変動が大きく最適なアンテナの組み合わせが設定しにくい場合は、アンテナ相関の低いものを（例えば携帯端末１００内の何れか１本のアンテナと本発明のＵＳＢケーブルに設けられた外部アンテナ１本）を自動的に選択し使用することとしてもよい。この構成時にはＵＳＢケーブルのアンテナは送信アンテナも兼ねることになるため、ＵＳＢケーブル内にＬＮＡを備える場合には、ＴＤＤの場合は送受切り替えスイッチ（スイッチ１３０のポート数を増やすことで対応可能）を設け、ＦＤＤの場合はＵＳＢケーブル内のアンテナとＬＮＡの間にデュプレクサ（図示せず）を設ける構成が考えられる。図１１の例では２本の端末内アンテナ（第３、第４アンテナ１０３、１０４）とＵＳＢケーブルからのアンテナが２Ｐ３Ｔスイッチであるスイッチ１３０に接続されているが、接続する本数は図１１の例に限られない。また前述した実施例４のようにケーブル内に複数のアンテナが存在する場合には、ケーブル内のアンテナからスイッチ１３０に入力されるポートが複数あってもよい。、また、図示を省略したが、ｍｉｃｒｏＵＳＢポートが他の信号でも使用される場合にはスイッチ１３０とＵＳＢケーブルの間に受信用と他の信号用に切り替えるスイッチが別途必要となる。
【００２５】
なお、図１１に示したスイッチ１３０は、アンテナの総数に対してＲＦ−ＩＣ１１０のポート数が十分であれば適宜省略することができる。この場合、携帯端末１００のｍｉｃｒｏＵＳＢポートからＲＦ−ＩＣ１１０の受信ポートに接続される信号線は、スイッチ１３０を介さずに、直接接続される。
【００２６】
上述の実施例、変形例で説明したハウジング（端末側ハウジング２、ＡＣ側ハウジング７、アンテナ回路用ハウジング９）は、アンテナ回路５の変形を防ぐためにケーブルよりも高い剛性を有することが望ましい。また、上述のハウジングは絶縁体材料で形成することが望ましい。また、上述の実施例、変形例においてアンテナ回路は、ハウジング内に形成することとしたが、これらのアンテナ回路はハウジングの外部に露出して、ハウジング外面に接着されていても上述の実施例と同様の効果を奏する。この場合、アンテナ回路は、人の手で触っても変形しないように、簡易なプラスチックケースなどで覆うか、保護材料などでコーティングされていればさらに好適である。
【図１】
2014183512.tif 000003
【図２】
2014183512.tif 000004
【図３】
2014183512.tif 000005
【図４】
2014183512.tif 000006
【図５】
2014183512.tif 000007
【図６】
2014183512.tif 000008
【図７】
2014183512.tif 000009
【図８】
2014183512.tif 000010
【図９】
2014183512.tif 000011
【図１０】
2014183512.tif 000012
【図１１】
2014183512.tif 000013